【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
ワイヤレス通信デバイスのための適応電力制御の方法であって、
前記デバイスの第1の電力モードでビーコンの第1の部分を受信するステップと、
受信した前記ビーコンの前記第1の部分のトラフィック指示ビットに少なくとも部分的に基づいて、前記ビーコンの第2の部分を受信するかまたは無視するかを判断するステップであって、前記ビーコンの前記第1の部分および前記ビーコンの前記第2の部分が同じ一連のビーコンフレーム送信にある、ステップと、
前記トラフィック指示ビットが設定されていると判断するステップと、
前記トラフィック指示ビットが設定されているという判断に少なくとも部分的に基づいて、第2の電力モードに移行するステップであって、前記第2の電力モードが前記第1の電力モードより高い受信電力モードであり、前記移行するステップは、前記トラフィック指示ビットが設定されていると判断すると開始される、ステップと、
前記トラフィック指示ビットの後の前記ビーコンの残りを無視するステップと
を含む方法。
【請求項２】
前記トラフィック指示ビットが配信トラフィック指示メッセージ(DTIM)ビットであるとき、前記デバイスの前記第2の電力モードでデータを受信するステップ
をさらに含む、請求項1に記載の方法。
【請求項３】
前記トラフィック指示ビットがトラフィック指示マップ(TIM)ビットであるとき、前記デバイスの前記第2の電力モードで省電力ポール(PS-Poll)またはヌルデータフレームを送信するステップ
をさらに含む、請求項1に記載の方法。
【請求項４】
前記ビーコンの終了に続く分散フレーム間スペース(DIFS)の終わりまでに、前記第2の電力モードへの移行を完了するステップ
をさらに含む、請求項1に記載の方法。
【請求項５】
前記ビーコンに関連付けられたアクセスポイント(AP)からのデータの直近の受信の変調およびコーディング方式(MCS)値を識別するステップと、
前記識別されたMCS値が第3の電力モードと互換性があり、前記トラフィック指示ビットがトラフィック指示マップ(TIM)ビットであるとき、前記デバイスの前記第3の電力モードで省電力ポール(PS-Poll)を送信するステップであって、前記第3の電力モードが前記第2の電力モードよりも低い電力モードである、ステップと
をさらに含む、請求項1に記載の方法。
【請求項６】
前記トラフィック指示ビットが、配信トラフィック指示メッセージ(DTIM)ビットまたはトラフィック指示マップ(TIM)ビットを含む、請求項1に記載の方法。
【請求項７】
前記第2の電力モードに移行するステップが、
前記第1の電力モード用の複数の送信/受信(Tx/Rx)チェーンのうちの1つにそれぞれルーティングされる複数のローカル合成器から、前記第2の電力モード用のモデムに関連付けられた前記複数のTx/Rxチェーンの各々にルーティングされるメイン合成器に切り替えるステップ
を含む、請求項1に記載の方法。
【請求項８】
前記第2の電力モードに移行するステップが、
前記第1の電力モード用のモデムに関連付けられた複数の送信/受信(Tx/Rx)チェーンの各々にルーティングされるメイン合成器から、前記第2の電力モード用の前記複数のTx/Rxチェーンのうちの1つにそれぞれルーティングされる複数のローカル合成器に切り替えるステップ
を含む、請求項1に記載の方法。
【請求項９】
フレームが前記デバイスによって送信されるべきであると判断するステップと、
前記フレームの変調およびコーディング方式(MCS)値が前記第1の電力モードと互換性があるとき、前記デバイスの前記第1の電力モードで前記フレームを送信するステップと
をさらに含む、請求項1に記載の方法。
【請求項１０】
前記フレームの前記MCS値が前記第1の電力モードと互換性がないとき、前記デバイスの前記第2の電力モードで前記フレームを送信するステップ
をさらに含む、請求項9に記載の方法。
【請求項１１】
送信されるべきフレームのフレームタイプを判断するステップと、
前記判断されたフレームタイプに基づいて、前記デバイスの前記第1の電力モードで前記フレームを送信するステップと
をさらに含む、請求項1に記載の方法。
【請求項１２】
前記判断されたフレームタイプが管理フレームを含む、請求項11に記載の方法。
【請求項１３】
前記デバイスの前記第1の電力モードでバックグラウンドスキャンを実行するステップ
をさらに含む、請求項1に記載の方法。
【請求項１４】
前記第1の電力モードで前記バックグラウンドスキャンを実行するステップが、前記第1の電力モードで前記バックグラウンドスキャンに関与する前記デバイスの構成要素を動作させるステップを含む、請求項13に記載の方法。
【請求項１５】
前記デバイスが配信トラフィック指示メッセージ(DTIM)モードであると判断するステップ
をさらに含む、請求項1に記載の方法。
【請求項１６】
ワイヤレス通信デバイスであって、
前記デバイスの第1の電力モードでビーコンの第1の部分を受信するともに、前記ビーコンの前記第1の部分のトラフィック指示ビットに少なくとも部分的に基づいて、前記ビーコンの第2の部分を受信するかまたは無視するかを判断するように構成された受信機であって、前記ビーコンの前記第1の部分および前記ビーコンの前記第2の部分が同じ一連のビーコンフレーム送信にある、受信機と、
前記トラフィック指示ビットが設定されていると判断するように構成されたビーコン情報要素(IE)判断器と、
前記トラフィック指示ビットが設定されているという判断に少なくとも部分的に基づいて、第2の電力モードに移行するように構成された電力コントローラであって、前記第2の電力モードが前記第1の電力モードより高い電力モードであり、前記移行することは、前記トラフィック指示ビットが設定されていると判断すると開始される、電力コントローラと
を備え、前記受信機が、前記トラフィック指示ビットの後の前記ビーコンの残りを無視するようにさらに構成される、ワイヤレス通信デバイス。
【請求項１７】
前記受信機が、
前記トラフィック指示ビットが配信トラフィック指示メッセージ(DTIM)ビットであるとき、前記デバイスの前記第2の電力モードでデータを受信する
ようにさらに構成される、請求項16に記載のデバイス。
【請求項１８】
前記トラフィック指示ビットがトラフィック指示マップ(TIM)ビットであるとき、前記デバイスの前記第2の電力モードで省電力ポール(PS-Poll)またはヌルデータフレームを送信するように構成された送信機
をさらに備える、請求項16に記載のデバイス。
【請求項１９】
前記ビーコンに関連付けられたアクセスポイント(AP)からのデータの直近の受信の変調およびコーディング方式(MCS)値を判断するように構成されたMCS判断器と、
識別されたMCS値が第3の電力モードと互換性があり、前記トラフィック指示ビットがトラフィック指示マップ(TIM)ビットであるとき、前記デバイスの前記第3の電力モードで省電力ポール(PS-Poll)を送信するように構成された送信機であって、前記第3の電力モードが前記第2の電力モードよりも低い電力モードである、送信機と
をさらに備える、請求項16に記載のデバイス。
【請求項２０】
ワイヤレス通信デバイスのための適応電力制御のための装置であって、
前記デバイスの第1の電力モードでビーコンの第1の部分を受信するための手段と、
受信した前記ビーコンの前記第1の部分のトラフィック指示ビットに少なくとも部分的に基づいて、前記ビーコンの第2の部分を受信するかまたは無視するかを判断するための手段であって、前記ビーコンの前記第1の部分および前記ビーコンの前記第2の部分が同じ一連のビーコンフレーム送信にある、手段と、
前記トラフィック指示ビットが設定されていると判断するための手段と、
前記トラフィック指示ビットが設定されているという判断に少なくとも部分的に基づいて、第2の電力モードに移行するための手段であって、前記第2の電力モードが前記第1の電力モードより高い電力モードであり、前記移行することは、前記トラフィック指示ビットが設定されていると判断すると開始される、手段と、
前記トラフィック指示ビットの後の前記ビーコンの残りを無視するための手段と
を備える装置。
【請求項２１】
前記ビーコンの部分を前記受信するための手段が、前記トラフィック指示ビットが配信トラフィック指示メッセージ(DTIM)ビットであるとき、前記デバイスの前記第2の電力モードでデータを受信するようにさらに構成される、請求項20に記載の装置。
【請求項２２】
前記トラフィック指示ビットがトラフィック指示マップ(TIM)ビットであるとき、前記デバイスの前記第2の電力モードで省電力ポール(PS-Poll)またはヌルデータフレームを送信するための手段
をさらに備える、請求項20に記載の装置。
【請求項２３】
前記ビーコンに関連付けられたアクセスポイント(AP)からのデータの直近の受信の変調およびコーディング方式(MCS)値を判断するための手段と、
識別されたMCS値が第3の電力モードと互換性があり、前記トラフィック指示ビットがトラフィック指示マップ(TIM)ビットであるとき、前記デバイスの前記第3の電力モードで省電力ポール(PS-Poll)を送信するための手段であって、前記第3の電力モードが前記第2の電力モードよりも低い電力モードである、手段と
をさらに備える、請求項20に記載の装置。
【請求項２４】
記憶された命令を含む非一時的コンピュータ可読記憶媒体であって、前記命令が、
デバイスの第1の電力モードでビーコンの第1の部分を受信することと、
受信した前記ビーコンの前記第1の部分のトラフィック指示ビットに少なくとも部分的に基づいて、前記ビーコンの第2の部分を受信するかまたは無視するかを判断することであって、前記ビーコンの前記第1の部分および前記ビーコンの前記第2の部分が同じ一連のビーコンフレーム送信にある、判断することと、
前記トラフィック指示ビットが設定されていると判断することと、
前記トラフィック指示ビットが設定されているという判断に少なくとも部分的に基づいて、第2の電力モードに移行することであって、前記第2の電力モードが前記第1の電力モードより高い電力モードであり、前記移行することは、前記トラフィック指示ビットが設定されていると判断すると開始される、移行することと、
前記トラフィック指示ビットの後の前記ビーコンの残りを無視することと
を行うようにコンピュータによって実行可能である、非一時的コンピュータ可読記憶媒体。